(57)【要約】      （修正有）【課題】グラスの下に敷いて使用するだけでなく、立てて飾っておくことのできるコースタースタンドを提供する。【解決手段】１枚のプラスチックシートに打ち抜き加工を施し、１枚もしくは複数枚のコースターとそのコースターを飾るためのスタンドが、余白部分に一部が繋がった状態で形成され、使用する際に使用者が切り離して使用するコースタースタンド３であって、コースタースタンド３には大小二つの方形の切り込みＣ、Ｅが形成され、いずれも根元となる一辺には切り込みを入れず、スタンドと連続しており、小さい方の切り込みＥの両端を繋ぐ辺には折り筋Ａが形成され、大きい方の対向する切り込みＣからそれぞれ直角に端辺まで伸びる折り筋Ｂが形成され、それらを折り曲げることによりコースターを保持できる。【選択図】図３
0003222081.tif 000002
【実用新案登録請求の範囲】
【請求項１】
1枚のプラスチックシートに打ち抜き加工を施し、1枚もしくは複数枚のコースターとそのコースターを飾るためのスタンドが、余白部分に一部が繋がった状態で形成され、使用する際に使用者が切り離して使用することを特長とするコースタースタンド。
【請求項２】
請求項1に記載のコースタースタンドであって、スタンド３に形成された折り筋Ａを谷折りにしてストッパーＤを手前に起こし、折り筋Ｂを山折りにして背あて部Ｆを形成し、プラスチックシートの可撓性による反発力により、ストッパーＤと背あて部Ｆとの間に挟んだコースター２を保持することを特長とする請求項１のコースタースタンド。
【考案の詳細な説明】
【技術分野】
【０００１】
本考案はプラスチック製のコースター及び専用のスタンドに関するものである。
【背景技術】
【０００２】
通常コースターは紙、木、プラスチックなど様々な材質で製造されており、使用後は廃棄又は所定の場所に収納されるのが一般的な使用方法であるが、コースターは広告媒体やキャラクターグッズとして利用されることも多く、店名や企業のロゴマーク、キャラクター等を印刷して製作され店舗やイベント等で使用されている。
【考案の概要】
【考案が解決しようとする課題】
【０００３】
しかしながら、企業ノベルティやキャラクターグッズなど主にプロモーション用途の場合、コースターとして使用されない時は人目に触れずその効果が期待できないという課題がある。また、お気に入りの絵柄やキャラクター等が印刷されたコースターを見える所に飾っておきたいという要望に応えられないことも課題である。紙製のコースターの場合、使用後は廃棄されることがほとんどであるため、プロモーションの効果は限られたものとなるうえに、環境保護の観点から見ても課題がある。
【課題を解決するための手段】
【０００４】
上記の課題を解決するため本考案は、コースターを使用した後、組み立て式の専用のスタンドを用いて、立てて飾ることができる構造を備え、部屋などに置いて鑑賞できると同時に、人目に触れる場所に置くことによりプロモーションの効果が期待できる。また、主にプロモーショングッズとして製作することを考慮し、複数のコースターとスタンドを1枚のプラスチックシートを用いて形成し、使用者が切り離し組み立てる構造とすることによりコストダウンを図る。
【考案の効果】
【０００５】
コースターを繰り返し使用できるプラスチック製とすることで廃棄される紙を減らすことができるほか、コースターを飾ることができる構造を備えることにより、プロモーショングッズとしてのより高い効果が期待できる。
【図面の簡単な説明】
【０００６】
【図１】打抜き加工されたプラスチックシート
【図２】切り離した状態のコースターとスタンド
【図３】スタンド
【図４】組み立て中のスタンド
【図５】スタンドの俯瞰図と側面図
【図６】コースターをスタンドに置いた状態を示す図
【図７】コースターをスタンドに置いた状態の側面図
【考案を実施するための形態】
【０００７】
以下、本考案の形態を図に基づいて説明する。
【実施例】
【０００８】
本考案の実施例である図1の示す通り、1枚のプラスチックシート１を打抜き加工することにより、形成されたコースター２とスタンド３は完全には切り抜かれておらず、分離しないようにシート1に一部が固定されており、それらを手を使い切り離すことにより、図２の示す通りコースター２及びスタンド３が形成される。スタンド３には図３の示す通り、折り筋AとＢ、切り込みＣとEが形成されており、図４の示す通り、折り筋Ａを谷折りにしてストッパーＤを手前に起こし、折り筋Ｂを山折りにして背あて部Ｆを形成し、図５の示す通り背あて部をたわませストッパーＤの背面に当て、可撓性のあるプラスチックシート素材の反発力を制止する。コースター２を飾る場合は、図６及び図７の示す通りストッパーＤと背あて部Ｆの間に重ねて差し込み挟む。本考案では可撓性のあるプラスチックシートを使用することにより、折り曲げた背あて部Ｆが元に戻ろうとする力を利用し、1枚または複数のコースター２を背面から背あて部Ｆが押す構造を備えており、ストッパーＤとの間に挟んだコースター２が倒れたりすることなく保持することができる。そのため、例えばコースターが円形の場合でもスタンドから左右に転げ落ちることなく飾ることができる他、ストッパーＤを折り加工し形成した際にできた穴Ｇに、円形のコースターの下部が嵌ることにより、素材の厚みをもって容易に左右に転げ落ちるのを防止する構造を備える。本考案を実現するための最適な方法として、可撓性のあるプラスチック素材を使用し、コースター２を立てるスタンド３の背あて部Ｆを図７の示す通り湾曲させ、反発力をもってコースター２を背面から押さえる構造が考えられる。この構造を用いることにより挟むコースター２の枚数が一定で無く、例えば1枚の時と5枚の時いずれの場合であっても、背あて部Ｆがコースター２を背面から押さえる力により、安定して保持することが可能である。また、プラスチック素材を使用することにより耐水性及び防汚性に優れ、紙製のコースターのように使い捨てでは無く、繰り返し使用できることも特長である。
【符号の説明】
【０００９】
１  プラスチックシート
２  コースター
３  スタンド
Ａ  折り筋
Ｂ  折り筋
Ｃ  切り込み
Ｄ  ストッパー
Ｅ  切り込み
Ｆ  背あて部
【図１】
0003222081.tif 000003
【図２】
0003222081.tif 000004
【図３】
0003222081.tif 000005
【図４】
0003222081.tif 000006
【図５】
0003222081.tif 000007
【図６】
0003222081.tif 000008
【図７】
0003222081.tif 000009
【手続補正書】
【提出日】令和1年5月9日(2019.5.9)
【手続補正１】
【補正対象書類名】実用新案登録請求の範囲
【補正対象項目名】全文
【補正方法】変更
【補正の内容】
【実用新案登録請求の範囲】
【請求項１】
1枚のプラスチックシートに打ち抜き加工を施し、1枚もしくは複数枚のコースターとそのコースターを飾るためのスタンドが、余白部分に一部が繋がった状態で形成され、使用する際に使用者が切り離して使用することを特長とするコースタースタンド。
【請求項２】
スタンドには大小二つの方形の切り込みが形成され、いずれも根元となる一辺には切り込みを入れず、スタンドと連続しており、小さい方の切り込みの両端を繋ぐ辺には折り筋が形成され、大きい方の対向する切り込みからそれぞれ直角に端辺まで伸びる折り筋が形成され、それらを折り曲げることによりコースターを保持できる請求項１のコースタースタンド。